(57)【特許請求の範囲】
【請求項１】
ドラムと、該ドラムを回転自在に軸承する固定軸と、該固定軸を支持するための固定軸支持部が左右方向内方に向けて突出された支持ブラケットとを備えた手動式巻取り装置を、該支持ブラケットは残した状態で、ドラムの一端部に電動モータが相対回転自在に内装された電動式巻取り装置に取換えて、手動式から電動式に変更した開閉装置において、
前記電動式巻取り装置のドラムの左右方向一端から突出する電動モータの一端側面に、手動式巻取り装置の固定軸に相当する軸部が形成されたアダプタ部材を設けて、該軸部を、手動式巻き取り装置の固定軸を係止固定するため上方が開放し、前後の対向片と下片を有するＵ字片により構成される固定軸支持部に、前後対向片が軸部よりも上方に突出する状態で嵌合支持して固定するよう構成するにあたり、
前記電動モータを制御する制御部品のケーシングを、下片が前記アダプタ部材の軸部に支持され、前後片が固定軸支持部の対向片の前記上方に突出する片部の間に挟持されるよう固定軸支持部上方に至る状態で配したことを特徴とする建築用開閉装置における巻取り装置。
【請求項２】
制御部品は、ドラムの外径よりも内側に位置するように構成されている請求項１に記載の建築用開閉装置における巻取り装置。
【請求項３】
制御部品は、軸部外周に支持されるものとし、ケーシング下片には、軸部外周面に沿う凹部が形成されている請求項１または２に記載の建築用開閉装置における巻取り装置。
【発明の詳細な説明】
【技術分野】
【０００１】
本発明は、建築物の開口部に設けられる建築用開閉装置における巻取り装置の技術分野に属するものである。
【背景技術】
【０００２】
一般に、この種建築用開閉装置のなかには、開口部を開閉する開閉体を例えばシャッターカーテンとした所謂シャッター装置があり、このものでは、シャッターカーテンを巻装する巻取り装置を開口部上方に設け、巻取り装置の正逆回動に伴いシャッターカーテンが開口部の開閉を行うようにしている。このようなものにおいて、シャッターカーテンの開閉作動を手動で行う手動式のシャッター装置では、巻取り装置を、固定軸と、該固定軸に軸承されるドラムとで構成し、該ドラムに連結されたシャッターカーテンを直接把持して手動操作するように構成されている。この場合に、手動式巻取り装置は、固定軸の左右両端部を躯体開口部上方に設けられた左右一対の支持ブラケットに固定することで躯体側への支持がなされており、支持ブラケットは、左右方向内方に突出するＵ字状のＵ字片で構成される固定軸支持部が形成されたものになっている。
一方、巻取り装置を電動モータの駆動力により回動させる構成とし、シャッターカーテンが自動的に開閉作動するようにした電動式のシャッター装置では、電動式巻取り装置として、ドラムの一端部に電動モータを内装することでコンパクト化を図るように構成したものがある。この場合では、電動式巻取り装置の一端部は、ドラム端部から外部に突出する電動モータを躯体側の支持ブラケットに直接固定支持するように構成されており、電動式巻取り装置に対応する支持ブラケットは、前記手動式巻取り装置に対応する固定軸支持部が形成された支持ブラケットとは基本的に異なる形状、構成のものとなっている。このため、手動式シャッター装置が既設されているところに、電動式シャッター装置に取換える場合では、支持ブラケットやガイドレール等の部材を付換えするような大がかりな工事、作業が必要となり、問題がある。
【０００３】
その改善策として、従来、電動式巻取り装置のドラムから突出する電動モータの一端側面に、軸部が形成されたアダプタ部材を固定し、該アダプタ部材の軸部を、既設の手動式巻取り装置用の支持ブラケットの固定軸支持部に固定するように構成し、支持ブラケットの付換え工事が不要になるようにしたものが提唱されている。
【特許文献１】特許登録第４００３１７８号
【発明の開示】
【発明が解決しようとする課題】
【０００４】
一方、近年、電動式シャッター装置では、電動モータの駆動制御に付加価値を設けたり、機能性を向上させるために、電動モータの基本的な駆動制御部とは別の機能を備えた制御盤等の制御部品を設けることがある。これに対し、従来の手動式のシャッター装置を構成するシャッターケースは、左右幅についてはシャッターカーテンの左右幅より僅かに幅広に設定されていて、シャッターカーテンの左右端部と支持ブラケットが近接する大きさであり、径方向の寸法については巻取り装置の最大巻径、即ち、シャッターカーテンを全開姿勢となるように巻取った状態における外径よりも僅かに大きい寸法に設定されていて、巻取り装置に巻取られたシャッターカーテンがシャッターケースに近接する大きさであり、コンパクトになるように形成されている。このため、手動式の既設の支持ブラケットを用いて電動式のシャッター装置としたような場合では、制御部品を取付けるスペースや、電動モータと制御部品との間の配線を引回すスペースを確保することが難しく、このような制御部品を付加できないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ドラムと、該ドラムを回転自在に軸承する固定軸と、該固定軸を支持するための固定軸支持部が左右方向内方に向けて突出された支持ブラケットとを備えた手動式巻取り装置を、該支持ブラケットは残した状態で、ドラムの一端部に電動モータが相対回転自在に内装された電動式巻取り装置に取換えて、手動式から電動式に変更した開閉装置において、前記電動式巻取り装置のドラムの左右方向一端から突出する電動モータの一端側面に、手動式巻取り装置の固定軸に相当する軸部が形成されたアダプタ部材を設けて、該軸部を、手動式巻き取り装置の固定軸を係止固定するため上方が開放し、前後の対向片と下片を有するＵ字片により構成される固定軸支持部に、前後対向片が軸部よりも上方に突出する状態で嵌合支持して固定するよう構成するにあたり、前記電動モータを制御する制御部品のケーシングを、下片が前記アダプタ部材の軸部に支持され、前後片が固定軸支持部の対向片の前記上方に突出する片部の間に挟持されるよう固定軸支持部上方に至る状態で配したことを特徴とする建築用開閉装置における巻取り装置である。
請求項２の発明は、制御部品は、ドラムの外径よりも内側に位置するように構成されている請求項１に記載の建築用開閉装置における巻取り装置である。
請求項３の発明は、制御部品は、軸部外周に支持されるものとし、ケーシング下片には、軸部外周面に沿う凹部が形成されている請求項１または２に記載の建築用開閉装置における巻取り装置である。
【発明の効果】
【０００６】
請求項１の発明とすることにより、既設の支持ブラケットをそのまま用いることができるばかりでなく、格別専用のスペースを確保することなく制御部品を設けることができ、しかも、制御部品が軸部に沿って回転するような位置ズレが防止されて、制御部品を一層安定した状態に支持できる。
請求項２の発明とすることにより、巻取り装置に巻取られたシャッターカーテンとアダプタ軸部との間のスペースに制御部品を配設することができて、制御部品を付加するものでありながら、既設のガイドレールやシャッターカーテンをそのまま用いることができて、手動式から電動式への取換え作業を一層容易に行える。
請求項３の発明とすることにより、制御部品のコンパクト化が図れるうえ、制御部品を安定した状態で、しかも、確実に支持固定することができる。
【発明を実施するための最良の形態】
【０００７】
次に、本発明の第一の実施の形態を図面に基づいて説明する。
図面において、１は住宅の窓部（躯体開口部）に設けられたシャッター装置のシャッターカーテン１であって、該シャッターカーテン１は、複数枚のスラット１ａを上下方向に回動自在に連結して構成されている。そして、シャッターカーテン１は、上端縁部が開口部上方の躯体側に設けたシャッターケース２に回動自在に内装された巻取り装置３に、左右方向複数箇所において連結金具１ｂを介して連結されており、巻取り装置３に巻取られて開口部を開放する全開姿勢と、巻取り装置３から巻出されて開口部を閉鎖する全閉姿勢とに変姿するように設定されている。
尚、シャッターカーテン１は、左右両側部が開口部の左右両側に立設されたガイドレール４に嵌合して移動案内されるように設定されており、これらの基本構成は何れも従来通りであり、図１には、シャッターカーテン１が全閉姿勢のときの一部を切欠いた斜視図が示されている。
【０００８】
ところで、本実施の形態のシャッター装置は、既設の手動式のシャッター装置から手動式巻取り装置を取外し、電動式の巻取り装置３を付け換えることで電動式のシャッター装置に構成されている。そのため、シャッターケース２を構成する左右側板に相当する左右一対の支持ブラケット２ａは、手動式のシャッター装置に対応しており、互いに対向する内側面に、図７から明らかなように、上方が開口し、前後の対向片２ｄと下片とを有するＵ字片により構成される固定軸支持部（ポケット）２ｂがそれぞれ内側に向けて突出形成されたものに構成されている。
因みに、手動式の巻取り装置は、前述したように、固定軸と該固定軸に回動自在に外嵌するドラムとにより構成されており、左右の固定軸を支持ブラケット２ａの固定軸支持部２ｂに嵌合支持させ、固定軸と固定軸支持部２ｂとにそれぞれ貫通状に形成された貫通孔にボルトを挿通し、該挿通先端部にナットを緊締して固定軸を固定軸支持部２ｂに固定支持することで、巻取り装置の支持ブラケット２ａへの支持がなされるように構成されている。
【０００９】
前記巻取り装置３は、前述したように電動式であり、左右方向（軸方向）一端部（本実施の形態では、図３において右側）に配される電動モータユニット５と、左右方向他端部（左端部）に配される固定軸ユニット６と、これら各ユニット５、６に対して回動自在に外嵌するドラム７とを備えて構成されている。
前記電動モータユニット５は、金属製のケーシングに収容された電動モータ５ａを備えて構成されており、該電動モータ５ａの他端側からは、出力軸５ｂが突出配設されている。そして、前記出力軸５ｂには駆動ホール８が連動連結されており、電動モータ５ａの駆動に伴い、出力軸５ｂと駆動ホイール８とが一体回転するように構成されている。さらに、前記電動モータ５ａの一端側の外周には従動ホイール８ａが回動自在に外嵌されている。
一方、前記固定軸ユニット６は、電動モータ５ａの出力軸５ｂと同芯状となる軸部６ａを備えて構成されており、手動式巻取り装置と同様に、該軸部６ａの他端側部が左側の支持ブラケット２ａに形成された固定軸支持部２ｂに固定支持されるように構成されている。また、固定軸ユニット６の軸部６ａの一端側部における外周には、左右に隣接する二つの従動ホイール８ａがそれぞれ回動自在に外嵌されている。
そして、前記ドラム７は、電動モータユニット５に配される従動ホイール８ａと、固定軸ユニット６に配される従動ホイール８ａとにそれぞれ外嵌して支持されており、ドラム７の内周面を電動モータユニット５の出力軸５ｂに設けた駆動ホイール８に連動連結することにより、電動モータ５ａの駆動に連動して正逆回転するように構成されている。
【００１０】
また、前記巻取り装置３の電動モータ５ａは、一端側部５ｃがドラム７の一端側から外方（一端側）に突出しており、該突出する一端側部５ｃにおける一端側面５ｄに金属製のアダプタ部材９が設けられている。
前記アダプタ部材９は、貫通孔９ａを備えた平板リング状のプレート部９ｂと、該プレート部９ｂの貫通孔９ａの孔縁から一端側に突出する筒状の軸部９ｃとを一体化手段により一体化して構成されている。そして、アダプタ部材９は、プレート部９ｂを電動モータ５ａの一端側面５ｄに突き当て、プレート部９ｂに形成された上下一対の固定用貫通孔９ｄと電動モータ一端側部５ｃに形成された螺子孔（図示せず）とを位置合わせし、螺子９ｅを用いて螺合することにより、アダプタ部材貫通孔９ａの孔中心と電動モータ出力軸５ｂの軸芯とが位置合せされた状態で電動モータ５ａに一体的に固定されるように構成されている。
尚、本実施の形態では、アダプタ部材９のプレート部９ａと軸部９ｃとは溶着手段により一体化されているが、一体化手段としては必要な強度が確保される手段であれば何れの手段を用いてもよい。
【００１１】
このように構成された巻取り装置３は、電動モータ出力軸５ｂ、固定軸ユニット６、アダプタ部材軸部９ｃとが同一軸芯上に位置するように構成されており、ドラム７の他端側（左端側）から固定軸ユニット６の軸部６ａが突出し、ドラム７の一端側（右端側）からアダプタ部材９の軸部９ｃが突出するように構成されている。そして、これら軸部６ａ、９ｃを、左右の支持ブラケット２ａの固定軸支持部２ｂにそれぞれ嵌合支持させ、各軸部６ａ、９ｃと対応する固定軸支持部２ｂとに貫通状に形成された貫通孔にそれぞれボルト１０を挿通し、これらボルト１０の挿通先端部にナット１０ａを緊締することにより、各軸部６ａ、９ｃが左右の固定軸支持部２ｂに固定支持され、これによって、巻取り装置３の支持ブラケット２ａへの支持がなされるように構成されている。なお、図７から明らかなように、軸部９ｃは、該前後の対向片２ｄが該軸部９ｃよりも上方に突出する状態で嵌合支持されている。
このとき、各軸部６ａ、９ｃと固定軸支持部２ｂとのあいだにはスペーサ１１が介装されており、これによって、各軸部６ａ、９ｃの固定軸支持部２ｂへの固定がガタつくことがないようように配慮されている。尚、スペーサ１１は必ずしも設ける必要はなく、軸部６ａ、９ｃと固定軸支持部２ｂとの形状に応じて設けられている。
【００１２】
そして、巻取り装置３の電動モータユニット５には、付加機能として電動モータ５ａを雷から保護するための制御部品１２が設けられている。前記制御部品１２は、シャッターケース２の左右方向に延出する側面や支持ブラケット２ａに設けられるのではなく、ドラム７の一端部から突出配設されるアダプタ部材９の軸部９ｃに設けられるように構成されており、これによって、シャッターケース２がコンパクトで、シャッターケース２の支持ブラケット２ａ等の各面に制御部品１２を設けるスペースを確保できないような場合であっても、制御部品１２を設けることができて、手動式から電動式に取換えたシャッター装置に付加機能を追加できるように構成されている。
【００１３】
この場合に、前記制御部品１２を構成するケーシング１２ａはボックス形状に形成されており、図５（Ｂ）を正面図としたとき、ケーシング１２ａの上片１２ｂから一対の配線１２ｃ、１２ｄが引出されており、一方の配線１２ｃはアダプタ部材プレート部９ｂの外周を切欠いて形成した切欠き凹部９ｆを介して電動モータ５ａに接続され、他方の配線１２ｄは右側支持ブラケット２ａに開設された引出し孔２ｃを介して右側支持ブラケット２ａの一端側（外部）に引出され、右側支持ブラケット２ａの一端側面に設けた中継器１３に接続されており、該中継器１３から引き出された配線１３ａが、図示しない電源に接続されるように構成されており、これら一対の配線１２ｃ、１２ｄは、何れの配線１２ｃ、１２ｄについても、ドラム７の外径よりも内側において引回されるように構成されている。
また、前記制御部品ケーシング１２ａの下片１２ｅはアダプタ部材９の軸部９ｃ外周面に支持されるように構成されており、下片１２ｅには軸部９ｃ外周面に沿う円弧状部（本発明の凹部に相当する）１２ｆが形成されている。これによって、軸部９ｃ外周にケーシング１２ａを支持させたとき、ケーシング１２ａの上下方向高さを低くすることができるように構成されている。さらに、下片１２ｅに円弧状部１２ｆを形成することにより、軸部９ｃ外周面とケーシング１２ａ下片１２ｅとの接触面積が大きく確保され、安定した支持状態となり、ケーシング１２ａを各配線１２ｃ、１２ｄとともに複数の結束バンド１４により軸部９ｃに固定した場合に、確実にケーシング１２ａを軸部９ｃに保持させることができるように構成されている。
また、図７から明らかなように、ケーシング１２ａは、軸部９ｃのＵ字片により構成される固定軸支持部２ｂに嵌合支持される部位に設けられており、ケーシング１２ａの屋内外両側部（本発明の前後片に相当する）１２ｇが、固定軸支持部２ｂ（Ｕ字片）の互いに対向する前後の上端片部（本発明の対向片に相当する）２ｄ同士の上方に突出している片部のあいだに挟持されるように、ケーシング１２ａを固定軸支持部２ｂの上方に至るように配して構成されている。これによって、制御部品１２は、シャッターカーテン１の作動時等に振動が発生したような場合でも、軸部９ｃ外周面に沿って回転するような周回り方向の位置ズレや、軸芯方向の位置ズレが生じる不具合が防止されるように構成されている。
【００１４】
さらに、前記制御部品１２はアダプタ部材軸部９ｃに取付けた状態で、制御部品１２が一対の配線１２ｃ、１２ｄとともに、巻取り装置３を構成するドラム７の外径の内径側に位置して配設されていて、ドラム７の外径からはみ出すことがないように設定されている。これによって、アダプタ部材軸部９ｃに支持された制御部品１２や配線１２ｃ、１２ｄは、巻取り装置３に巻装されるシャッターカーテン１とアダプタ部材軸部９ｃとの間で、かつ、アダプタ部材プレート部９ｂ（電動モータ５ａ一端部）と右側の支持ブラケット２ａとの間に形成される隙間Ｓに位置するように設定され、ドラム７の外周に連結されるシャッターカーテン１として、支持ブラケット２ａに近接する左右幅を有したシャッターカーテン１を用いたとしても、シャッターカーテン１が制御部品１２や配線１２ｃ、１２ｄに干渉することがないように構成されている。これによって、制御部品１２をアダプタ部材軸部９ｃに設けたものでありながら、支持ブラケット２ａに近接する左右幅を有した手動式のシャッター装置に用いたシャッターカーテン１をそのまま使用することができるように構成されている。
これによって、手動式から電動式に取換えられたシャッター装置のシャッターカーテン１の左右幅を、手動式のシャッター装置のときのシャッターカーテンから変更させることがなく、左右両側部を既設のガイドレール４に移動案内されるように構成することができ、支持ブラケット２ａだけでなくシャッターカーテン１、ガイドレール４をそのまま用いた状態で手動式のシャッター装置から電動式シャッター装置に取換えることができるように構成されている。
【００１５】
叙述の如く構成された本発明の実施の形態において、手動式のシャッター装置が設けられていた箇所に、電動式のシャッター装置を取付ける場合に、電動式の巻取り装置３を躯体側に支持するための支持ブラケット２は、手動式のものがそのまま用いられており、支持ブラケット２ａをわざわざ取外したり、支持ブラケット２ａに必要な部材を別途新たに取付けたりする作業を不要とすることができる。しかもこの場合に、電動式の巻取り装置３は、電動モータユニット５を構成するアダプタ部材９の軸部９ｃと固定軸ユニット６の軸部６ａとを左右の支持ブラケット２ａの固定軸支持部２ｂに固定させるだけの簡単な作業をするだけで、手動式から電動式のシャッター装置に取換えることができる。
そのうえ、手動式から電動式に取換えられたシャッター装置に対し、付加機能として、本実施の形態のように、電動モータ５ａを雷から保護するための制御部品１２を設ける場合に、前記制御部品１２を電動モータユニット５のアダプタ部材９の軸部９ｃに設けるように構成したので、シャッターケース２が手動式シャッター装置に対応してコンパクトに形成されていたとしても、格別専用のスペースを確保することなく制御部品１２設けることができる。尚、電動モータに設けられる制御部品としては、防犯機能や障害物検知機能の高性能化を図るための制御部品等、種々の制御部品とすることができる。
【００１６】
このように、本発明が実施されたものにあっては、制御部品１２をアダプタ部材軸部９ｃに設けることで、制御部品１２専用のスペースを確保することがないようにしたものであるが、このものでは、配線１２ｃ、１２ｄを含む制御部品１２全体がドラム７の外径からはみ出すことがなく、ドラム７に連結されて巻装されるシャッターカーテン１の巻形内に納まる形状としたので、シャッターカーテン１の左右幅を支持ブラケット２ａに近接する長さとしても、シャッターカーテン１が制御部品１２に干渉することがない。この結果、シャッターカーテン１の左右幅を手動式のシャッター装置と同様の長さにすることができ、既設のガイドレール４やシャッターカーテン１をそのまま用いることができて、手動式から電動式への取換え作業を一層容易に行うことができる。
【００１７】
さらに、このものにおいて、制御部品１２を構成するケーシング１２ａは、下片１２ｅに、アダプタ部材軸部９ｃ外周面に沿う円弧状部１２ｆを形成して、ケーシング１２ａを軸部９ｃに設けたときにケーシング１２ａの上下方向の高さを低減したので、ケーシング１２ａのコンパクト化が図れるという利点がある一方で、軸部９ｃ外周面とケーシング１２ａ下片１２ｅとの接触面積が大きくなって、結束バンド１４を用いてケーシング１２ａを軸部９ｃに固定した場合に、安定した状態で、しかも、確実に軸部９ｃに固定することができて、制御部品１２の位置ズレを防止できる。
【００１８】
また、このものにおいて、制御部品１２は、アダプタ部材軸部９ｃの固定軸支持部２ｂに嵌合支持される部位に支持されており、制御部品ケーシング１２ａの屋内外両側部１２ｇが、固定軸支持部２ｂ（Ｕ字片）の互いに対向する上端片部２ｄ同士の上方に突出している片部のあいだに挟持されているので、制御部品１２が軸部９ｃに沿って回転するような位置ズレが防止されて、制御部品１２を一層安定した状態で支持することができる。
【図面の簡単な説明】
【００１９】
【図１】手動式から電動式に取換えられたシャッター装置の斜視図である。
【図２】図２（Ａ）、（Ｂ）はそれぞれ支持ブラケットの側面図、正面図である。
【図３】巻取り装置の支持ブラケットへの支持状態を説明する一部を切欠いた平面図である。
【図４】図４（Ａ）、（Ｂ）はそれぞれアダプタ部材の一部断面正面図、側面図である。
【図５】図５（Ａ）、（Ｂ）、（Ｃ）はそれぞれ制御部品の平面図、正面図、側面図である。
【図６】巻取り装置の一部を拡大した平面図である。
【図７】図６におけるＸ−Ｘ断面図である。
【符号の説明】
【００２０】
１    シャッターカーテン
２    シャッターケース
２ａ    支持ブラケット
２ｂ    固定軸支持部
３    巻取り装置
５    電動モータユニット
６    固定軸ユニット
６ａ    軸部
７    ドラム
８    駆動ホイール
９    アダプタ部材
９ｂ    プレート部
９ｃ    軸部
１０    ボルト
１２    制御部品
１２ｆ    円弧状部
１４    結束バンド
【図１】
0005246853.tif 000002
【図２】
0005246853.tif 000003
【図３】
0005246853.tif 000004
【図４】
0005246853.tif 000005
【図５】
0005246853.tif 000006
【図６】
0005246853.tif 000007
【図７】
0005246853.tif 000008